(57)【要約】迅速な繰返し機能をイネーブルする方法（６００）および基地局コントローラ（１２０）を本願で説明する。基地局コントローラ（１２０）は、移動局（１６０）に関連する動作パラメータをモニタする。基地局コントローラ（１２０）は、動作パラメータに基づいて移動局（１６０）への送信失敗の可能性を示唆する状態を検知する。基地局コントローラ（１２０）は、移動局（１６０）に送信失敗の可能性を示唆する状態の検知に応答して、移動局（１６０）に複数回の動作メッセージ送信を提供する。動作メッセージは、基地局（１４０）と移動局（１６０）の間の通信に関連する動作情報を含んでいる。
2005525050.tif 000002
【特許請求の範囲】
【請求項１】
基地局が移動局に、基地局と移動局との間の通信に関する動作情報を含む動作メッセージを送信する、無線通信システムにおいて、迅速な繰返し機能をイネーブルする方法であって、
移動局に関連する動作パラメータをモニタする工程；
前記動作パラメータに基づいて移動局への送信失敗の可能性を示唆する状態を検知する工程；および
移動局への送信失敗の可能性を示唆する状態の検知に応答して、移動局に複数の動作メッセージ送信を提供する工程；
を含む方法。
【請求項２】
前記移動局に関連する動作パラメータをモニタする工程は、移動局に関連する通信資源の出力レベルをモニタすることを含む、請求項１に記載の方法。
【請求項３】
前記移動局に関連する動作パラメータをモニタする工程は、移動局に関連するフォワード／リバース・パイロットチャネル（Ｆ／Ｒ−ＰＩＣＨ）の信号対雑音比（ＳＮＲ）をモニタすることを含む、請求項１に記載の方法。
【請求項４】
前記動作パラメータに基づいて移動局への送信失敗の可能性を示唆する状態を検知する工程は、動作パラメータに基づいてフェージング状態を検知することを含む、請求項１に記載の方法。
【請求項５】
前記動作パラメータに基づいて移動局に関連する状態を検知する工程は、動作パラメータに基づいて基地局と移動局との間の通信リンクの失敗の可能性を示唆する状態を検知することを含む、請求項１に記載の方法。
【請求項６】
動作パラメータに基づいて移動局に関連する状態を検知する工程は、閾値を超える信号対雑音（ＳＮＲ）偏差を検知することを含み、前記ＳＮＲ偏差は、移動局に関連するフォワード／リバース・パイロットチャネル（Ｆ／Ｒ−ＰＩＣＨ）の公称ＳＮＲ値とＳＮＲ偏差とに基づいている、請求項１に記載の方法。
【請求項７】
動作パラメータに基づいて移動局に関連する状態を検知する工程は、閾値を超える信号対雑音（ＳＮＲ）偏差を検知することを含み、前記ＳＮＲ偏差は、移動局に関連するフォワード／リバース・パイロットチャネル（Ｆ／Ｒ−ＰＩＣＨ）の公称ＳＮＲ値と複数の測定ＳＮＲ値からのサンプル値とに基づいている、請求項１に記載の方法。
【請求項８】
前記移動局に関連する状態の検知に応答して、移動局に複数の動作メッセージ送信を提供する工程は、移動局に関連する状態の検知に応答して、複数の拡張補足チャネル割当メッセージ（ＥＳＣＡＭ）送信を移動局に提供することを含む、請求項１に記載の方法。
【請求項９】
前記移動局に関連する状態の検知に応答して、移動局に複数の動作メッセージ送信を提供する工程は、移動局に関連するフェージング状態の検知に応答して、３回の拡張補足チャネル割当メッセージ（ＥＳＣＡＭ）送信を移動局に提供することを含む、請求項１に記載の方法。
【請求項１０】
前記移動局に関連する状態の検知に応答して、移動局に複数の動作メッセージ送信を提供する工程は、移動局に関連する状態の検知に応答して、送信スケジュールおよび送信速度のうちの１つに関連する複数の情報送信を移動局に提供することを含む、請求項１に記載の方法。
【請求項１１】
前記移動局に関連する状態の検知に応答して移動局に複数の動作メッセージ送信を提供する工程は、閾値を超える信号対雑音（ＳＮＲ）偏差の検出に応答して、複数の動作メッセージ送信を移動局に提供することを含み、前記ＳＮＲ偏差は、移動局に関連するフォワード／リバース・パイロットチャネル（Ｆ／Ｒ−ＰＩＣＨ）の公称ＳＮＲ値と測定ＳＮＲ値とに基づいている、請求項１に記載の方法。
【請求項１２】
前記移動局に関連する状態の検知に応答して移動局に複数の動作メッセージ送信を提供する工程は、閾値を超える信号対雑音（ＳＮＲ）偏差の検出に応答して、複数の動作メッセージ送信を移動局に提供することを含み、前記ＳＮＲ偏差は、移動局に関連するフォワード／リバース・パイロットチャネル（Ｆ／Ｒ−ＰＩＣＨ）の公称ＳＮＲ値と複数の測定ＳＮＲ値とに基づいている、請求項１に記載の方法。
【請求項１３】
前記通信システムは、符号分割多重接続（ＣＤＭＡ）ベースの通信システムを含む、請求項１に記載の方法。
【請求項１４】
動作メッセージが基地局と移動局との間の通信に関する動作情報を含み、基地局コントローラが迅速な繰返し機能をイネーブルするよう動作する、無線通信システムにおける、基地局コントローラであって、
プロセッサと、プロセッサと結合して動作するメモリとを有するコントローラと、
該コントローラは移動局に関連する動作パラメータをモニタするようにプログラムされていることと、
該コントローラは、動作パラメータに基づいて移動局に関連する状態を検知するようにプログラムされていることと、
該コントローラと結合して動作する選択および分配ユニットであって、移動局に関連する状態の検知に応答して、複数の動作メッセージ送信を提供するように動作する選択および分配ユニットと、
を備えた基地局コントローラ。
【請求項１５】
前記動作パラメータは、移動局に関連する通信資源の出力レベルを含む、請求項１４に記載の基地局コントローラ。
【請求項１６】
前記動作パラメータは、移動局に関連するフォワード／リバース・パイロットチャネル（Ｆ／Ｒ−ＰＩＣＨ）の信号対雑音比（ＳＮＲ）を含む、請求項１４に記載の基地局コントローラ。
【請求項１７】
前記移動局に関連する状態は、移動局に関連するフェージング状態を含む、請求項１４に記載の基地局コントローラ。
【請求項１８】
前記移動局に関連する状態は、基地局と移動局との間の通信リンクの失敗の可能性を示唆する状態を含む、請求項１４に記載の基地局コントローラ。
【請求項１９】
前記移動局に関連する状態は、閾値を超える信号対雑音（ＳＮＲ）偏差を含み、前記ＳＮＲ偏差は、移動局に関連するフォワード／リバース・パイロットチャネル（Ｆ／Ｒ−ＰＩＣＨ）の公称ＳＮＲ値と測定ＳＮＲ値とに基づいている、請求項１４に記載の基地局コントローラ。
【請求項２０】
前記移動局に関連する状態は、信号対雑音（ＳＮＲ）偏差を含み、前記ＳＮＲ偏差は、移動局に関連するフォワード／リバース・パイロットチャネル（Ｆ／Ｒ−ＰＩＣＨ）の公称ＳＮＲ値と複数の測定ＳＮＲ値からのサンプル値とに基づいている、請求項１４に記載の
基地局コントローラ。
【請求項２１】
前記動作メッセージは拡張補足チャネル割当メッセージ（ＥＳＣＡＭ）であり、該拡張補足チャネル割当メッセージは送信スケジュールおよび送信速度のうちの１つに関連する情報を含む、請求項１４に記載の基地局コントローラ。
【請求項２２】
前記複数の動作メッセージ送信は、３回の拡張補足チャネル割当メッセージ（ＥＳＣＡＭ）送信を含む、請求項１４に記載の基地局コントローラ。
【請求項２３】
前記基地局コントローラは符号分割多重接続（ＣＤＭＡ）ベースの通信プロトコルに従って動作する、請求項１４に記載の基地局コントローラ。
【請求項２４】
動作メッセージが基地局と移動局との間の通信に関する動作情報を含み、基地局コントローラが迅速な繰返し機能をイネーブルするよう動作し、プロセッサが迅速な繰返し機能をイネーブルするようコンピュータ可読媒体上に具現されたコンピュータプログラムに従って作動する、無線通信システムにおける、コンピュータプログラムであって、
移動局に関連する動作パラメータをモニタするようプロセッサに命令する第１のルーチン；
動作パラメータに基づいて移動局に関連する状態を検知するようプロセッサに命令する第２のルーチン；および
前記移動局に関連する状態の検知に応答して、複数の動作メッセージ送信を提供するようプロセッサに命令する第３のルーチン；
を含むコンピュータプログラム。
【発明の詳細な説明】
【技術分野】
【０００１】
本願の開示は無線通信システムに関し、より詳細には、迅速な繰返し機能をイネーブルする方法および装置に関する。
【背景技術】
【０００２】
無線通信システムは、複数のシステムと複数の要素からの複雑なネットワークである。通常のシステムおよび要素としては、（１）少なくとも１つ、通常はいくつかの基地局によって一般に提供される、移動局（無線通信システムへのアクセスに仕様されるセルラー電話または加入者装置）への無線リンク、２）基地局間の通信リンク、（３）基地局間の通信を制御すると共に基地局の動作と相互作用を管理するための、通常は１または複数の基地局コントローラ（ＢＳＣ）または集中基地局コントローラ（ＣＢＳＣ）であるコントローラ、（４）システム内の呼処理を行なうための、通常は移動交換局（ＭＳＣ）を含む交換システム、および（５）陸線へのリンク、すなわち、公衆交換電話網（ＰＳＴＮ）または統合サービスディジタル網（ＩＳＤＮ）が含まれる。
【０００３】
基地局サブシステム（ＢＳＳ）または無線アクセスネットワーク（ＲＡＮ）は、通常は１または複数の基地局コントローラと複数の基地局を含み、無線に関するすべての機能を提供する。基地局コントローラは、交換システムと基地局の間のすべての制御機能と物理リンクを提供する。さらに基地局コントローラは、ハンドオーバー、セル構成、基地局中の無線周波数（ＲＦ）出力レベルの制御を初めとする機能も提供する高容量交換機でもある。
【０００４】
基地局は、移動局への無線インタフェースを取り扱う。基地局は、システム内の各通信セルにサービスを提供するために必要な無線装置（トランシーバ、アンテナ、アンプ等）を含んでいる。一群の基地局は基地局コントローラにより制御される。したがって、基地局コントローラは、基地局サブシステムの一部として基地局と共に動作して、移動局にリアルタイムの音声、データおよびマルチメディアサービス（例えば呼）を提供する。
【０００５】
呼が確立された後（すなわち基地局サブシステムと移動局との間のサービス交渉後）、また、その呼自体の全体にわたって、例えば、基地局サブシステムは移動局に、移動局がいつ基地局サブシステムと通信し、その通信をどのような速度で行うかを通信できる等の情報を含む拡張された補足のチャネル割当メッセージ（ＥＳＣＡＭ）を提供し得る。詳しくは、基地局コントローラは、基地局を介して移動局に、移動局が基地局へデータを送ることが可能な時間および速度を示すリバースＥＳＣＡＭを送る。対照的に、基地局コントローラは、基地局が移動局へデータを送ることが可能な時間および速度を示す基地局を介して移動局にフォワードＥＳＣＡＭを送る。
【０００６】
移動局が適切に動作するよう移動局がＥＳＣＡＭ中の動作情報を得ることを保証するために、基地局サブシステムにより迅速な繰返し機能が実行され得る。すなわち、基地局コントローラは、ＥＳＣＡＭに基づいてデータを処理する前に、一般に、所与の回数だけＥＳＣＡＭを送信する。例えば、基地局コントローラは、第１のＥＳＣＡＭ（例えばリバースＥＳＣＡＭ）を３回送信する場合があり、これには通常３２０ミリ秒（ミリ秒）の時間がかかる。基地局サブシステムが３回の第１のＥＳＣＡＭ送信を処理した後まで、第２のＥＳＣＡＭ（例えばフォワードＥＳＣＡＭ）は待ち行列に格納され得る。その理由は、基地局サブシステムと移動局は、通常、一度に１つのＥＳＣＡＭしか処理できないからである。したがって、第２のＥＳＣＡＭは移動局に到達するのが遅れ、無線リンクプロトコル（ＲＬＰ）のリセット（すなわちデータが失われ、無線リンク中の喪失データを回復する
試みに失敗した時）や処理能力の低下につながる。各ＲＬＰリセットの結果、処理されるデータの量が減少される可能性がある。
【０００７】
無線通信システムを設計する１態様は、無線通信システムに利用可能な資源を最適化することである。すなわち、資源の利用性を改善する１つの方法は、使用されるオーバーヘッド帯域幅の量と、ＥＳＣＡＭの処理に使用される出力の量を減らすことである。上記の例で説明したように、基地局コントローラは移動局にＥＳＣＡＭを３回提供し得る。しかしながら、移動局は良好なＲＦ状態（すなわちフェージングがほとんどないか全くない）であり得るため、必ずしもＥＳＣＡＭを受け取る機会を３回も必要としない可能性がある。換言すれば、移動局は、ＥＳＣＡＭの第１の送信を受け取り、その結果、第２および第３のＥＳＣＡＭの送信が必要でない可能性がある。その結果、オーバーヘッド帯域幅と、基地局コントローラ、基地局および移動局の処理出力が、効率的に利用されない可能性がある。
【０００８】
したがって、無線通信システムの通信資源を最適化するために、動作メッセージの送信を制御することが必要とされる。
【発明を実施するための最良の形態】
【０００９】
本開示を、その広い教示を例証するために、いくつかの実施形態で説明する。添付図面も参照する。
迅速な繰返し機能をイネーブルする方法および基地局コントローラの実施形態をここで説明する。迅速な繰返し機能の概念を例証するために、無線通信システム内の基地局コントローラは、移動局へ送信される動作メッセージを基地局に提供し得る。動作メッセージは、基地局と移動局との間の通信に関連する動作情報を含み得る。例えば、動作メッセージは、送信スケジュールおよび送信速度を含むがそれらに限定されない動作情報を含む、拡張補足チャネル割当メッセージ（ＥＳＣＡＭ）である。
【００１０】
基地局コントローラは、移動局に関連する動作パラメータをモニタする。すなわち、基地局コントローラは、移動局に関連する通信資源の出力レベルをモニタし得る。例えば、基地局コントローラは、移動局に関連するフォワード／リバース・パイロットチャネル（Ｆ／Ｒ−ＰＩＣＨ）の信号対雑音比（ＳＮＲ）をモニタしてもよい。
【００１１】
動作パラメータに基づいて、基地局コントローラは移動局への送信失敗の可能性を示唆する状態を検知し得る。基地局コントローラは、例えば、移動局に関連するフェージング状態、または基地局と移動局との間の通信リンクの失敗の可能性を示唆する状態を検知し得る。詳細には、基地局コントローラは、閾値を超える信号対雑音比（ＳＮＲ）偏差を検知し得る。ＳＮＲ偏差は、移動局に関連するフォワード／リバース・パイロットチャネル（Ｆ／Ｒ−ＰＩＣＨ）の公称ＳＮＲ値と測定ＳＮＲ値とに基づいていてよく、すなわち公称ＳＮＲ値と測定ＳＮＲ値との差に基づいていてよい。別の例では、ＳＮＲ偏差は、公称ＳＮＲ値と複数の測定ＳＮＲ値からのサンプル値との間の差であってもよい。
【００１２】
移動局への送信失敗の可能性を示唆する状態の検知に応答して、基地局コントローラは、動作メッセージが移動局に第１の送信で到達しない可能性を補償するために、移動局に複数回の動作メッセージ送信を提供し得る。かくして、基地局コントローラは、追加の動作メッセージ送信を提供し、移動局が動作情報を得ることを保証する。例えば、基地局コントローラは、周囲の環境（例えば建物および／または他の障害物）によって引き起こされたフェージング状態の検知に応答して、移動局に３回のＥＳＣＡＭ送信を提供し得る。また、基地局コントローラは、基地局と移動局との間の通信リンクの失敗の可能性を示唆する状態の検知に応答して、複数回の動作メッセージ送信を提供し得る。
【００１３】
通信システム、特に、いくつかの規格の少なくとも１つに従って動作する無線通信システムについても説明する。そのような規格は、アナログ、ディジタルまたはデュアルモードの通信システムプロトコル、すなわちアドバンスト移動電話システム（ＡＭＰＳ）、狭帯域アドバンスト移動電話システム（ＮＡＭＰＳ）、グローバル移動体通信システム（ＧＳＭ）、ＩＳ−５５時分割多重接続（ＴＤＭＡ）ディジタルセルラ、ＩＳ−９５符号分割多重接続（ＣＤＭＡ）ディジタルセルラ、ＣＤＭＡ２０００、パーソナル通信システム（ＰＣＳ）、３Ｇ、ユニバーサルモバイル通信システム（ＵＭＴＳ）、およびこれらのプロトコルの変化型および発展型を含むが、それらに限定されるわけではない。
【００１４】
図１に示されるように、無線通信システム１００は、通信網１１０と、サービルエリア全体１３０にサービスを提供する符号１２０および符号１２５として一般に示される複数の基地局コントローラ（ＢＳＣ）とを含んでいる。無線通信システム１００は、周波数分割多重接続（ＦＤＭＡ）ベースの通信システム、時分割多重接続（ＴＤＭＡ）ベースの通信システム、および符号分割多重接合（ＣＤＭＡ）ベースの通信システムを含むが、それらに限定されるわけではない。そのようなシステムについてよく知られているように、各ＢＳＣ  １２０および１２５は、それに関連する符号１４０，１４２，１４４および１４６として一般に示される複数の基地局（ＢＳ）を有する。複数の基地局（ＢＳ）１４０，１４２，１４４および１４６は、サービルエリア全体１３０内の符号１５０，１５２，１５４および１５６として一般に示される通信セルにサービスを提供する。ＢＳＣ  １２０および１２５と、基地局１４０，１４２，１４４および１４６は指定され、通信セル１５０，１５２，１５４および１５６内で動作する符号１６０，１６２，１６４および１６６として一般に示される移動局（ＭＳ）に無線通信サービスを提供するために適用される１または複数の基準に従って動作する。これらの各要素は、イリノイ州シャンバーグ所在のモトローラ社から入手可能である。
【００１５】
通常、ＢＳＣ  １２０および１２５は、複数の移動局１６０，１６２，１６４および１６６に動作メッセージを与える。動作メッセージは、基地局１４０，１４２，１４４および１４６と、複数の移動局１６０，１６２、１６４および１６６との間の通信のための動作情報を含んでいる。この概念を例証するために、ＢＳＣ  １２０は、移動局１６０に送信される拡張補足チャネル割当メッセージ（ＥＳＣＡＭ）を基地局に１４０を提供し得る。基地局１４０は、移動局１６０に関連する通信資源の出力レベル（例えばフォワード／リバース・パイロットチャネル（Ｆ／Ｒ−ＰＩＣＨ））をモニタし、次に、基地局コントローラ１２０にその出力レベルに関連する出力情報を提供し得る。基地局１４０からの出力情報に基づいて、ＢＳＣ  １２０は、迅速な繰返し機能すなわち複数回のＥＳＣＡＭ送信をイネーブルするべきか否かを決定する。例えば、ＢＳＣ  １２０は、公称ＳＮＲ値と測定ＳＮＲ値（すなわち公称ＳＮＲ値と測定ＳＮＲ値との間の変化）に基づいて、移動局１６０の信号対雑音比（ＳＮＲ）偏差を決定することが可能である。公称ＳＮＲ値は、シミュレーション（すなわち真空環境における）から得られる所定の値であってよく、測定ＳＮＲ値は、移動局１２０に関連する通信資源を所定期間モニタした後で基地局１４０により提供されるものであってよい。ＢＳＣ  １２０は、移動局１６０のＳＮＲ偏差を閾値と比較する。従って、ＳＮＲ偏差が閾値を超えると、ＢＳＣ  １２０は迅速な繰返し機能をイネーブルし得る。そうでない場合、迅速な繰返し機能はイネーブルされない。
【００１６】
代わりに、ＢＳＣ  １２０は、移動局１６０に関連する通信資源の以前の出力情報に基づいてＳＮＲ偏差を決定する。例えば、ＢＳＣ  １２０は、公称ＳＮＲ値を、計算されたＳＮＲ値と比較することにより、ＳＮＲ偏差を決定することが可能である。計算されたＳＮＲ値は、所定期間の移動局１６０に関連するＦ／Ｒ−ＰＩＣＨの複数の測定ＳＮＲ値からのサンプルであってよいが、これに限定されるわけではない。複数の測定ＳＮＲ値からのサンプルは、当業者が容易に認識できるように計算することが可能である。上述したように、ＢＳＣ  １２０は、移動局１６０のＳＮＲ偏差を閾値と比較する。ＳＮＲ偏差が閾
値を超えると、迅速な繰返し機能がイネーブルされる。
【００１７】
迅速な繰返し機能をイネーブルすることによって、基地局コントローラ１２０は基地局１４０にＥＳＣＡＭを提供し、次に、このＥＳＣＡＭが所定回数、時間間隔内で、フォワード／リバース補足のチャネル（Ｆ／Ｒ−ＳＣＨ）を通って移動局１６０へ送られる。例えば、基地局１４０は、移動局１６０に３２０ミリ秒（ミリ秒）以内にＥＳＣＡＭを３回送信することが可能である（すなわち基地局１４０は１６０ミリ秒毎に１つのＥＳＣＡＭを送信する）。ＥＳＣＡＭは、送信スケジュールおよび送信速度を含むがそれらに限定されない基地局１４０と移動局１６０の間の通信に関連する動作情報を移動局１６０に提供する。ＥＳＣＡＭはリバースＥＳＣＡＭおよびフォワードＥＳＣＡＭであってよいが、それらに限定されるわけではない。詳細には、リバースＥＳＣＡＭはいつおよびどのような速度でデータを基地局１４０に送信するかを示す情報を移動局１６０に提供し、フォワードＥＳＣＡＭはいつおよびどのような情報で速度でデータを基地局１４０から受け取るかを示す情報を移動局１６０に提供する。
【００１８】
上述したように、ＢＳＣ  １２０は、移動局１６０に関連する通信資源の出力レベルを始めとする移動局１６０に関連する動作パラメータに基づいて、迅速な繰返し機能をイネーブルするべきか否かを決定する。移動局１６０が静止状態にあること、すなわち基地局１４０と移動局１６０の間に良好な無線周波数（ＲＦ）通信リンクがあることをＢＳＣ  １２０が検知した場合、ＢＳＣ  １２０は迅速な繰返し機能をイネーブルしないであろう。すなわちＢＳＣ  １２０は、上述したＳＮＲ偏差が閾値を超えないことを決定する。その結果、ＢＳＣ  １２０は、移動局１６０に送信される第１のＥＳＣＡＭおよび第２のＥＳＣＡＭを、基地局１４０に連続的に提供し得る。すなわち、ＢＳＣ  １２０および基地局１４０は、移動局１６０に第１のＥＳＣＡＭの追加送信を提供することなく、第２のＥＳＣＡＭを処理し得る。
【００１９】
この概念を例証するために、ＢＳＣ  １２０は、図２で示すように、移動局１６０へ送信されるリバースＥＳＣＡＭ（例えばｒｅｖ−ＥＳＣＡＭ）２１０およびフォワードＥＳＣＡＭ（例えばｆｗｄ−ＥＳＣＡＭ）２２０を基地局１４０に連続的に提供し得る。ＢＳＣ  １２０は基地局１４０にｒｅｖ−ＥＳＣＡＭ  ２１０を提供し、ついで基地局１４０は移動局１６０にｒｅｖ−ＥＳＣＡＭ  ２１０を送信する。基地局１４０は、ＢＳＣ  １２０がｒｅｖ−ＥＳＣＡＭ  ２１０に含まれている動作情報に基づいて移動局１６０と通信し得るよう、ＥＳＣＡＭがＢＳＣ  １２０に処理されたという肯定要求（すなわちｒｅｖ−ＥＳＣＡＭ  ＡＣＫ）２５０も提供する。従って、ＢＳＣ  １２０は、例えばｒｅｖ−ＥＳＣＡＭ  ２１０に含まれる送信スケジュールおよび送信速度に基づいて移動局１６０への／からのデータを処理し得る。迅速な繰返し機能をイネーブルせずに、ｒｅｖ−ＥＳＣＡＭ  ２１０が基地局１４０に提供された後、ＢＳＣ  １２０はｆｗｄ−ＥＳＣＡＭ
２２０を処理し得る。その結果、ＢＳＣ１２０がｒｅｖ−ＥＳＣＡＭ  ２１０の追加送信を処理している間に、ｆｗｄ−ＥＳＣＡＭ  ２２０が待ち行列に置かれることはない。
【００２０】
対照的に、ＢＳＣ  １２０は移動局１６０への送信失敗の可能性を示唆する状態、例えば周囲の環境によって引き起こされたフェージング状態または基地局１４０と移動局１６０の間のＲＦ通信リンクの欠如、を検知する場合がある。すなわち、ＢＳＣ  １２０は、上述したＳＮＲ偏差が閾値を超えていることを決定する。従って、ＢＳＣ  １２０は迅速な繰返し機能を得ネーブルし、ＥＳＣＡＭが移動局１６０に到達しない可能性を補償し得る。例えば、図３を参照すると、ＢＳＣ  １２０は、移動局１６０に送信されるべきｒｅｖ−ＥＳＣＡＭ  ３１０の第１の送信を基地局１４０に提供し得る。しかし、ＢＳＣ  １２０は、一般に第２の送信および第３の送信ｒｅｖ−ＥＳＣＡＭ  ３３０および３４０として示されるｒｅｖ−ＥＳＣＡＭ  ３１０の追加送信を処理する間、ｆｗｄ−ＥＳＣＡＭ
３２０は待ち行列に置かれる。例えば、迅速な繰返し機能がイネーブルの場合、基地局
１４０はｒｅｖ−ＥＳＣＡＭを３回送信し、ｆｗｄ−ＥＳＣＡＭを２４０ミリ秒間待ち行列に配置し得る。移動局１６０へのｒｅｖ−ＥＳＣＡＭ  ３１０，３３０，３４０の複数回の送信後、基地局１４０はＢＳＣ  １２０にｒｅｖ−ＥＳＣＡＭ  ＡＣＫ  ３５０を提供し、次に移動局１６０にｆｗｄ−ＥＳＣＡＭ  ３２０を送信し得る。したがって、第２および第３送信ｒｅｖ−ＥＳＣＡＭ  ３３０，３４０は、移動局１６における第１送信ｒｅｖ−ＥＳＣＡＭ  ３１０の欠如を補償し得る。
【００２１】
図４に示すように、ＢＳＣ  １２０は迅速な繰返し機能をイネーブルするよう適合される。ＢＳＣ  １２０は一般に、コントローラ４１０と選択および分配ユニット（ＳＤＵ）４２０とを備えている。コントローラ４１０はプロセッサ４３０とメモリ４４０を有する。プロセッサ４３０はメモリ４４０と結合して作用する。メモリ４４０はプロセッサ４３０に対するプログラムまたは動作命令の組を格納する。プロセッサ４３０は、ＢＳＣ  １２０が本明細書に説明したように作動するよう、プログラムまたは動作命令の組を実行する。プログラムまたは動作命令の組は、紙、プログラム可能なゲートアレイ、特定用途向けＩＣ、消去可能プログラム可能ＲＯＭ、ＲＯＭ、ＲＡＭ、磁気媒体、および光学媒体を含むがそれらに限定されないコンピュータ可読媒体に具現し得る。
【００２２】
ＳＤＵ  ４２０は、基地局（例えば図１に示した基地局１４０）と移動局（例えば図１に示した移動局１６０）との間の通信に関連する動作情報を含む動作メッセージを提供する。例えばＳＤＵ  １２０は、移動局１６０に送信される基地局１４０への動作メッセージを提供し得る。かくして、基地局１４０と移動局１６０は送信スケジュールおよび送信速度を含むがそれらに限定されない動作情報に基づいて互いに通信し合っている。
【００２３】
図４に示したＢＳＣ  １２０に適用され得る迅速な繰返し機能をイネーブルするための基本的フローは、コントローラ４１０が移動局１６０に関連する動作パラメータをモニタすることから開始し得る。動作パラメータは、移動局１６０に関連するフォワード／リバース・パイロットチャネル（Ｆ／Ｒ−ＰＩＣＨ）の信号対雑音比（ＳＮＲ）であってよいがそれに限定されない。動作パラメータに基づいて、コントローラ４１０は、移動局１６０への送信失敗の可能性を示唆する状態（例えば当業者なら用意に認識できるフェージング状態）があるか否か決定する。例えば、コントローラ４１０は、ＳＮＲ偏差が閾値を超えるか否かを決定してもよい。ＳＮＲ偏差は、公称ＳＮＲ値と、Ｆ／Ｒ−ＰＩＣＨの測定ＳＮＲ値および複数のＦ／Ｒ−ＰＩＣＨの測定ＳＮＲ値からのサンプル値のうちの１つとに基づいてよい。ＳＮＲ偏差が閾値を超えない場合、迅速な繰返し機能はイネーブルにならない。しかしながら、ＳＮＲ偏差が閾値を超える場合、基地局コントローラ１２０は迅速な繰返し機能をイネーブルする。すなわちＳＤＵ  ４２０は、所与間隔の間に（例えば３２０ミリ秒以内に）移動局１６０に複数回の動作メッセージ送信を提供し得る。動作メッセージは、送信スケジュールおよび送信速度を始めとする動作情報を移動局に１６０に提供する拡張補足チャネル割当メッセージ（ＥＳＣＡＭ）であってよいがそれに限定されない。すなわち、ＥＳＣＡＭは移動局１６０に、いつおよびどのような速度で基地局から情報を受け取り、および／または基地局へ情報を送るかに関する情報を提供する。その結果、所与間隔の間のＥＳＣＡＭの複数回の送信は、基地局１４０からの移動局１２０への送信失敗の可能性を示唆する状態にかかわらず、移動局１６０が動作情報を受け取ることを保証し得る。
【００２４】
図５を参照すると、迅速な繰返し機能をイネーブルする方法５００が示される。方法５００は工程５１０で始まる。工程５１０で、基地局コントローラは移動局に関連する動作パラメータをモニタする。例えば、動作パラメータは、移動局に関連するフォワード／リバース・パイロットチャネル（Ｆ／Ｒ−ＰＩＣＨ）の信号対雑音比（ＳＮＲ）を始めとする、移動局に関連する通信資源の出力レベルであるが、それに限定されない。
次に、工程５２０で、基地局コントローラは、動作パラメータに基づいて、移動局への送
信失敗の可能性を示唆する状態を検知する。すなわち、基地局コントローラはフェージング状態または基地局と移動局との間の通信リンクの失敗の可能性を示唆する状態を検知し得る。これは、例えば建物および／または他の障害物のような移動局の周囲の環境によって引き起こされ得る。移動局への送信失敗の可能性を示唆する状態を検知するために、基地局コントローラは、ＳＮＲ偏差が閾値を超えるか否かを決定し得る。ＳＮＲ偏差は、公称ＳＮＲ値と、Ｆ／Ｒ−ＰＩＣＨの測定ＳＮＲ値とに基づき得る。代替実施形態では、ＳＮＲ偏差は、公称ＳＮＲ値と、Ｆ／Ｒ−ＰＩＣＨの複数の測定ＳＮＲ値からのサンプル値とに基づき得る。
【００２５】
移動局への送信失敗の可能性を示唆する状態（すなわちＳＮＲ偏差が閾値を超える）の検知に応答して、工程５３０で、基地局コントローラは、移動局に複数回の動作メッセージ送信を提供する。動作メッセージは送信スケジュールおよび送信速度を始めとする動作情報を含む拡張補足チャネル割当メッセージ（ＥＳＣＡＭ）であり得るがそれに限定されない。例えば、動作メッセージが第１の送信で到達しない可能性を補償するために、また、移動局が適切に動作するための動作情報を受け取ることを確実にするために、基地局コントローラは、移動局に３回のＥＳＣＡＭ送信を提供し得る。その結果、基地局コントローラは利用可能な通信資源を最適化するだけでなく、基地局と通信するための動作情報を移動局が受け取ることを保証する。
【００２６】
本明細書に説明した実施形態には多くの変更及び改変をなし得るであろう。いくつかの変更の範囲は上述したが、他にも変更があることは特許請求の範囲から明らかである。
【図面の簡単な説明】
【００２７】
【図１】無線通信システムのブロック図。
【図２】無線通信システムの流れ図。
【図３】迅速な繰返し機能をイネーブルするよう適合された無線通信システムの流れ図。
【図４】基地局コントローラのブロック図。
【図５】迅速な繰返し機能を実現する方法を例証する流れ図。
【図１】
2005525050.tif 000003
【図２】
2005525050.tif 000004
【図３】
2005525050.tif 000005
【図４】
2005525050.tif 000006
【図５】
2005525050.tif 000007
【国際調査報告】
2005525050.tif 000008
2005525050.tif 000009